(57)【要約】 【課題】    無線ＬＡＮに組み入れたサーバの通信環境設定を容易にできる通信環境設定方法および通信環境設定プログラムを提供すること。【解決手段】プリントサーバ２０を無線ＬＡＮ１内に組み入れる場合、付属の通信環境設定プログラムをクライアント端末１０側にインストールして実行させる。これにより、アドバタイズパケットが生成され、無線ＬＡＮ１内にブロードキャスト送信される。サーバ２０側では、予め格納されたプログラムにより、チャンネルおよび通信モードを逐一変更しながらアドバタイズパケットを正しく受信するまで当該受信を試行し、受信した際のチャンネルおよび通信モードを通信環境の設定事項として設定する。このように、クライアント端末１０に通信環境設定プログラムをインストールして実行するだけで、通信モードやチャンネルを簡単に設定できる。【選択図】 図１
2005136591.tif 000002
【特許請求の範囲】
【請求項１】
無線によるコンピュータ・ネットワーク（１）に組み入れたサーバ（２０）に対して、これと通信を行うクライアント端末（１０）に応じた通信環境を設定するための通信環境設定方法であって、
前記クライアント端末（１０）では、
通信環境設定の要求を知らせるためのアドバタイズパケットを生成する手順と、
このアドバタイズパケットをブロードキャスト送信する手順と、
設定の完了を知らせるための返信パケットを前記サーバ（２０）から受信する手順と、  前記返信パケットの内容を確認する手順とを備え、
前記サーバ（２０）では、
前記アドバタイズパケットを受信する手順と、
前記アドバタイズパケットを受信するための通信環境を変更する手順と、
前記アドバタイズパケットを受信した際の通信環境を判定する手順と、
当該通信環境を設定する手順と、
前記返信パケットを生成する手順と、
当該返信パケットをブロードキャスト送信する手順とを備えている
ことを特徴とする通信環境設定方法。
【請求項２】
無線によるコンピュータ・ネットワーク（１）に組み入れたサーバ（２０）に対して、これと通信を行うクライアント端末（１０）に応じた通信環境を設定するための通信環境設定プログラムであって、
前記クライアント端末（１０）を、
通信環境設定の要求を知らせるためのアドバタイズパケットを生成するアドバタイズパケット生成手段（５１）と、
このアドバタイズパケットをブロードキャスト送信するブロードキャスト送信手段（５２）と、
設定の完了を知らせるための返信パケットを前記サーバ（２０）から受信する返信パケット受信手段（５３）と、
前記返信パケットの内容を確認する内容確認手段（５４）として機能させ、
前記サーバ（２０）を、
前記アドバタイズパケットを受信するアドバタイズパケット受信手段（６１）と、
前記アドバタイズパケットを受信するための通信環境を変更する通信環境可変手段（６２）と、
前記アドバタイズパケットを受信した際の通信環境を判定する通信環境判定手段（６３）と、
当該通信環境を設定する通信環境設定手段（６４）と、
前記返信パケットを生成する返信パケット生成手段（６５）と、
当該返信パケットをブロードキャスト送信するブロードキャスト送信手段（６６）として機能させる
ことを特徴とする通信環境設定プログラム。
【発明の詳細な説明】
【技術分野】
【０００１】
本発明は、例えば無線ＬＡＮ（Local Area Network）等を構成する端末間の通信環境設定方法および通信環境設定プログラムに関する。
【背景技術】
【０００２】
近年では、ＬＡＮケーブルを配線する煩わしさやコストを削減するために、従来の有線ＬＡＮに換えて無線ＬＡＮを構築することが増えており、パーソナルコンピュータ（以下、パソコンと略す）等においても、無線ＬＡＮアダプタを装着できるものや、予め内蔵しているものが多く開発されている。このような無線ＬＡＮは前述したように、さほど経費がかからないことにより、例えば小規模オフィス、あるいは家庭内のコンピュータ・ネットワークとして利用されている。
【０００３】
一方、既に構築されている無線ＬＡＮにおいて、新たに別の端末を追加して無線ＬＡＮ内に組み込むことがある。例えば家庭内において、複数のパソコンによる無線ＬＡＮが既に構築されている場合などでは、新たにプリンタを購入し、無線ＬＡＮ内に組み入れることが考えられる。
【０００４】
そして、このような場合には、プリンタを複数台のパソコンで共有することになるため、１台で専有する場合と異なってプリントサーバが必要になる。プリントサーバとしては、一般に市販されているものを購入するだけでよいが、パソコンとの間で無線通信できるようにするためには、プリントサーバ側の通信環境をパソコン側に合わせて正しく設定しなければならない。
【０００５】
通信環境として設定するものの一つとして、無線ＬＡＮのグループ名を示すＳＳＩＤ（Service Set ID）がある。ところが、このようなＳＳＩＤの設定は、知識の乏しい一般ユーザが付属のマニュアルを参照しながら行うために、その作業に手間がかかってユーザの負担が大きい。そこで、このＳＳＩＤの設定を自動的に簡便に行う方法も提案されている（例えば、特許文献１）。
【０００６】
【特許文献１】特開平８−２４２２４５号公報
【発明の開示】
【発明が解決しようとする課題】
【０００７】
しかしながら、特許文献１で提案している内容は、既設の複数のコンピュータ・ネットワークが存在し、そこへさらに新たなネットワークを構築する場合であって、既設のネットワークで使用しているＳＳＩＤを無線ＬＡＮ端末上で自動的に認識し、空いている未使用のＳＳＩＤを新たなネットワーク用に設定するものである。
【０００８】
つまり、特許文献１の内容は、新たなネットワーク自身に対してＩＤを付与する方法であり、既設のネットワーク内に新たなプリントサーバ等を組み入れた場合に生じるような、プリントサーバ自身の通信環境設定に関するものではない。
【０００９】
勿論、新たに組み入れたプリントサーバにとってＳＳＩＤなどは、組み入れ先の無線ＬＡＮのグループ名を認識させるために必ず設定される事項ではあるが、それ以前の問題として、プリントサーバに対しては、無線ＬＡＮ上に存在するパソコンとの通信を如何なるチャンネルあるいは通信モードで行うのかを認識させるとともに、そのような通信環境の設定を、一般ユーザでも容易に行えることが望まれているのである。
【００１０】
本発明の目的は、無線ＬＡＮに組み入れたサーバの通信環境設定を容易にできる通信環境設定方法および通信環境設定プログラムを提供することにある。
【課題を解決するための手段】
【００１１】
本発明の請求項１に係る通信環境設定方法は、無線によるコンピュータ・ネットワークに組み入れたサーバに対して、これと通信を行うクライアント端末に応じた通信環境を設定するための通信環境設定方法であって、前記クライアント端末では、通信環境設定の要求を知らせるためのアドバタイズパケットを生成する手順と、このアドバタイズパケットをブロードキャスト送信する手順と、設定の完了を知らせるための返信パケットを前記サーバから受信する手順と、前記返信パケットの内容を確認する手順とを備え、前記サーバでは、前記アドバタイズパケットを受信する手順と、前記アドバタイズパケットを受信するための通信環境を変更する手順と、前記アドバタイズパケットを受信した際の通信環境を判定する手順と、当該通信環境を設定する手順と、前記返信パケットを生成する手順と、当該返信パケットをブロードキャスト送信する手順とを備えていることを特徴とする。      
【００１２】
本発明の請求項２に係る通信環境設定プログラムは、無線によるコンピュータ・ネットワークに組み入れたサーバに対して、これと通信を行うクライアント端末に応じた通信環境を設定するための通信環境設定プログラムであって、前記クライアント端末を、通信環境設定の要求を知らせるためのアドバタイズパケットを生成するアドバタイズパケット生成手段と、このアドバタイズパケットをブロードキャスト送信するブロードキャスト送信手段と、設定の完了を知らせるための返信パケットを前記サーバから受信する返信パケット受信手段と、前記返信パケットの内容を確認する内容確認手段として機能させ、前記サーバを、前記アドバタイズパケットを受信するアドバタイズパケット受信手段と、前記アドバタイズパケットを受信するための通信環境を変更する通信環境可変手段と、前記アドバタイズパケットを受信した際の通信環境を判定する通信環境判定手段と、当該通信環境を設定する通信環境設定手段と、前記返信パケットを生成する返信パケット生成手段と、当該返信パケットをブロードキャスト送信するブロードキャスト送信手段として機能させることを特徴とする。
【発明の効果】
【００１３】
請求項１，２の発明によれば、例えばサーバを新たに購入して無線ＬＡＮ内に組み入れようとする場合には、サーバに付属の通信環境設定プログラム（ＣＤ−ＲＯＭ等に格納されたソフトウェア）をクライアント端末側にインストールし、これを実行させる。この通信環境設定プログラムにより、クライアント端末では、通信環境設定の要求を知らせるアドバタイズパケットが生成され、このアドバタイズパケットが無線ＬＡＮ内の端末（含むサーバ）にブロードキャスト送信される。
一方のサーバでは、自身に予め格納されたプログラムにより、前記アドバタイズパケットが受信される。この際、サーバは、クライアント端末からのアドバタイズパケットがどのようなチャンネルや通信モードで送られて来るか知り得ないため、それらの通信環境を変更しながら受信状態を維持することになる。そして、所定の通信環境でアドバタイズパケットを受信した場合に、その通信環境をサーバ自身の通信環境の設定事項として設定する。
【００１４】
このように、クライアント端末に通信環境設定プログラムをインストールして実行するだけで、サーバとの通信環境が自動的に設定されるため、知識の乏しい一般ユーザでも設定作業が容易に行われるようになる。
【発明を実施するための最良の形態】
【００１５】
以下、本発明の一実施形態を図面に基づいて説明する。
図１は、本実施形態に係る通信環境設定方法および通信環境設定プログラムが適用される無線ＬＡＮ（コンピュータ・ネットワーク）１を示す模式図である。
無線ＬＡＮ１は、家庭内に構築されるような比較的小規模のネットワークであって、複数（本実施形態では３台）のパソコンからなるクライアント端末１０と、プリントサーバ（サーバ）２０に配線接続されたプリンタ３０と、各クライアント端末１０およびプリントサーバ２０間での無線通信を可能にする無線アクセスポイント４０と、この無線アクセスポイント４０にＬＡＮケーブルで接続されたルータ５０とを含んで構成されており、このルータ５０を介してインターネット２に接続されている。
【００１６】
ただし、３台のクライアント端末１０のうち、１台のクライアント端末１０は、無線アクセスポイント４０やルータ５０の設定のために、ルータ５０に対してＬＡＮケーブルで接続されている。
また、各クライアント端末１０およびプリントサーバ２０には、無線ＬＡＮアダプタ３が組み込まれている。このような無線ＬＡＮアダプタ３は、パソコン本体やサーバ本体に後付けするタイプとして図示されているが、予めそれらに内蔵されたものであっても勿論よい。
さらに、無線アクセスポイント４０およびルータ５０はそれぞれ別体で図示されているが、無線ルータのように１台で両者の機能を有するものを用いてもよい。
【００１７】
本実施形態では、例えば無線ＬＡＮ１を構築した当初は、プリンタ３０が設置されていなかったが、新たにプリンタ３０を購入し、３台のクライアント端末１０でプリンタ３０を共有する場合を想定している。このために、プリントサーバ２０をも同時に購入し、このプリントサーバ２０を介してプリンタ３０を無線アクセスポイント４０との間で受信可能に設け、プリントサーバ２０にて、各クライアント端末１０から送信されて来るデータを制御し、印刷できるようにした。そして、本発明は、プリントサーバ２０を無線ＬＡＮ１内に組み入れた際に、各クライアント端末１０とプリントサーバ２０との通信を行えるように、プリントサーバ２０側の初期的な通信環境、すなわち通信モード、チャンネル、およびＳＳＩＤを自動設定するために用いられる。
【００１８】
なお、無線ＬＡＮ１では、ＴＣＰ／ＩＰを利用して通信を行うが、このプロトコルを使用する場合でも、必ずしもインターネット２には接続されていなくともよく、接続されていない場合には、ルータ５０は用いられないことになる。また、無線ＬＡＮ１を構成する端末のうち、プリンタ３０、無線アクセスポイント４０、およびルータ５０は、基本的には、一般的なものと何ら変わらない機能を有するため、ここでの詳細な説明を省略する。      
【００１９】
クライアント端末１０も基本的には、汎用のパーソナルコンピュータであり、図２に示すように、ＯＳ（operating system）上に展開される種々のユーティリティプログラム（アプリケーションソフト）を実行する演算処理部１１、無線ＬＡＮ１を介して入出力されたデータを制御する通信制御部１２、磁気ディスク、ＲＯＭ、ＲＡＭ等からなる記憶部１３、表示装置１４、キーボード１５、マウス１６、磁気ディスクドライブ１７、および光ディスクドライブ１８等を備えている。
【００２０】
また、図２では、光ディスクドライブ１８に記憶媒体としてのＣＤ−ＲＯＭ１９が挿入され、このＣＤ−ＲＯＭ１９内に格納されているユーティリティプログラム（通信環境設定プログラム）が記憶部１３にインストールされ、そして、記憶部１３から呼び出されて演算処理部１１で実行さている状態が図示されている。つまり、図２では、無線ＬＡＮ１にプリントサーバ２０を組み入れ、電源を入れた直後に、プリントサーバ２０に付属のＣＤ−ＲＯＭ１９を用いて、ユーザによる通信環境設定を行っている様子が示されているのである。
【００２１】
このユーティリティプログラムは、クライアント端末１０をアドバタイズパケット生成手段５１、ブロードキャスト送信手段５２、返信パケット受信手段５３、および内容確認手段５４として機能させるものである。
【００２２】
アドバタイズパケット生成手段５１は、ユーティリティプログラムを起動させた際にアドバタイズパケットを生成し、ブロードキャスト送信手段５２に渡す手順を実行する。アドバタイズパケットは、プリントサーバ２０に対してクライアント端末１０が通信環境設定を要求していることを知らせるためのパケットである。
【００２３】
ブロードキャスト送信手段５２は、無線アクセスポイント４０を介して無線ＬＡＮ１にアクセス可能な端末、つまり他のクライアント端末１０、およびプリントサーバ２０に前記アドバタイズパケットをブロードキャスト送信する手順を実行する。
【００２４】
この際、送信する側のクライアント端末１０においては、アドバタイズパケットを無線アクセスポイント４０に対して送信するために、通信モードとしては、インフラストラクチャモードに設定されている。また、ＴＣＰ／ＩＰを利用する本実施形態では、無線ＬＡＮ１で使用可能な周波数が１４チャンネルに分けられており、いずれかの所定のチャンネルでアドバタイズパケットを送信する。さらに、アドバタイズパケットのデータとしては、当該無線ＬＡＮ１のＳＳＩＤが担持される。
【００２５】
返信パケット受信手段５３は、無線ＬＡＮ１上の端末（ここでは、プリントサーバ２０）から返信パケット（後述）を受信し、これを内容確認手段５４に渡す手順を実行する。      
【００２６】
内容確認手段５４は、返信パケットの内容から、プリントサーバ２０側でのチャンネル、通信モード、およびＳＳＩＤの設定が完了したことを確認し、ユーティリティプログラムを終了させる手順を実行する。
【００２７】
一方、プリントサーバ２０は、図３に示すように、サーバ本来の機能を司るプリント部２１、無線ＬＡＮ１を介して入出力されたデータを制御する通信制御部２２、通信環境の設定を支援する環境設定支援部２３、およびＲＯＭ等からなる記憶部２４を備え、この記憶部２４には、環境設定用のプログラムであるアドバタイズパケット受信手段６１、通信環境可変手段６２、通信環境判定手段６３、通信環境設定手段６４、返信パケット生成手段６５、ブロードキャスト送信手段６６が格納されている。
そして、図３では、これらの手段６１〜６６が環境設定支援部２３に呼び出され、実行されている様子が示されている。
【００２８】
アドバタイズパケット受信手段６１は、無線ＬＡＮ１内にブロードキャスト送信されたアドバタイズパケットを受信し、返信パケット生成手段６５に渡す手順を実行する。
【００２９】
通信環境可変手段６２は、アドバタイズパケット受信手段６１の一機能であり、アドバタイズパケットの受信に際して、チャンネルを１〜１４チャンネルまで切り換えるとともに、各チャンネルにおいて、通信モードをスードアドホックモードで試行し、また、所定のチャンネルにて標準アドホックモード、およびインフラストラクチャモードに切り換え、アドバタイズパケットをいずれかのチャンネルおよび通信モードで受信できるようにする手順を実行する。
【００３０】
通信環境判定手段６３は、アドバタイズパケットを受信した際のチャンネルおよび通信モードを判定するとともに、アドバタイズパケットのデータ中に担持されたＳＳＩＤを認識する手順を実行する。
【００３１】
通信環境設定手段６４は、判定されたチャンネル、通信モード（本実施形態ではインフラストラクチャモード）、およびＳＳＩＤを通信環境の設定事項として設定する手順、つまり記憶部２４内の設定テーブル等に記憶させる手順を実行する。
【００３２】
返信パケット生成手段６５は、アドバタイズパケットの要求コマンドに従い、プリントサーバ２０自身での環境設定が完了したことを知らせる返信パケットを生成し、この返信パケットをブロードキャスト送信手段６６に渡す手順を実行する。
【００３３】
ブロードキャスト送信手段６６も、無線アクセスポイント４０を介して無線ＬＡＮ１上の全ての端末、つまり全クライアント端末１０に前記返信パケットをブロードキャスト送信する手順を実行する。
【００３４】
以下には、図４のフローチャートをも参照して、新たなプリントサーバ２０を無線ＬＡＮ１に組み込まれた際の、プリントサーバ２０側における通信環境の設定について説明する。
【００３５】
ステップ（以下、ステップを「Ｓ」と略す）１：先ず、プリントサーバ２０のセッティングを行って電源を投入し、内部プログラムを起動させておく。
Ｓ２：一方、任意のクライアント端末１０を立ち上げてＣＤ−ＲＯＭ１９を挿入し、ユーティリティプログラムをインストールし、起動させる。
Ｓ３、Ｓ４：すると、クライアント端末１０側では、アドバタイズパケット生成手段５１が起動してアドバタイズパケットを生成し、ブロードキャスト送信手段５２がアドバタイズパケットをブロードキャスト送信する。
Ｓ５：アドバタイズパケットのブロードキャスト送信は、返信パケット受信手段５３により、プリントサーバ２０からの返信パケットを受信するまで続けられる。この際、図示を省略するが、返信パケット受信手段５３にタイマを設けておき、所定時間経過しても返信パケットを受信できない時には、その旨のエラー表示を表示装置１４に表示させるようになっている。
【００３６】
Ｓ６：これに対してプリントサーバ２０側では、内部プログラムの起動により、アドバタイズパケット受信手段６１の通信環境可変手段６２が機能し、先ず、チャンネルとして１チャンネルを使用し（Ｃ＝１）、アドバタイズパケットの受信を試みる。
Ｓ７〜Ｓ９：すなわち、最初にスードアドホックモードにて受信を試みる。このスードアドホックモードの場合においては、チャンネル１にて受信を試み、受信できなかった場合にはＳ６に戻り、２チャンネル（Ｃ＝２）に切り換えて再度受信を試みる。そして、このような試みを１〜１４チャンネル（Ｃ＝１〜１４）まで行ってもなお、アドバタイズパケットを受信できなかった場合、チャンネルを一旦クリアし、Ｓ１０に進む。
【００３７】
Ｓ１０：１〜１４チャンネルにおいて、スードアドホックモードでアドバタイズパケットを受信できなかった場合に、標準アドホックモードに変更して受信を試みる。
Ｓ１１：それでも受信できない場合には、次に、インフラストラクチャモードにて受信を試みる。以上の試みで受信できない場合には、再度Ｓ６に戻り、スードアドホックモードからの受信をやり直す。
なお、標準アドホックモードおよびインフラストラクチャモードでのチャンネルの切り換えは不要である。また、いずれのモードでも受信できない状態が続き、クライアント端末１０側でのタイムオーバーによりアドバタイズパケットの送信が打ち切られた場合には、その時点でプリントサーバ２０での環境設定も中断されることになる。
【００３８】
Ｓ１２：本実施形態の場合でのプリントサーバ２０は、Ｓ１１でのインフラストラクチャモードにてアドバタイズパケットを受信することになるが、このアドバタイズパケットを受信すると、通信環境判定手段６３は、受信した際のチャンネル（スードアドホックモードの場合のみ）と、通信モード（本実施形態ではインフラストラクチャモード）を判定するとともに、アドバタイズパケットに担持されたＳＳＩＤを認識する。
Ｓ１３：この後、通信環境設定手段６４は、判定されたチャンネル、通信モード、およびＳＳＩＤをプリントサーバ２０の設定事項として設定する。
Ｓ１４：さらに、返信パケット生成手段６５は、通信環境設定が完了したこと知らせる返信パケット生成し、ブロードキャスト送信手段６６に渡す。
Ｓ１５：ブロードキャスト送信手段６６は、返信パケットを受け取って無線ＬＡＮ１内にブロードキャスト送信する。
【００３９】
Ｓ１６：クライアント端末１０でのＳ５において、プリントサーバ２０からの返信パケットを監視し、これを受信すると、内容確認手段５４は、返信パケットの内容を確認してプリントサーバ２０での通信環境設定が完了したと判断し、ユーティリティプログラムを終了させて通信環境設定の一切を終了させる。
【００４０】
このような本実施形態によれば、以下の効果がある。
すなわち、通信環境設定プログラムにより、クライアント端末１０ではアドバタイズパケットが生成され、このアドバタイズパケットが無線ＬＡＮ１内にブロードキャスト送信される。一方のプリントサーバ２０では、自身に予め格納されたプログラムにより、アドバタイズパケットパケットが受信される。この際、プリントサーバ２０は、クライアント端末１０からのアドバタイズパケットがどのようなチャンネルおよび通信モードで送られて来るのかを知り得ないため、これらを逐一切り換えながら受信状態を維持する。そして、所定のチャンネルおよび通信モードでアドバタイズパケットを正しく受信した場合に、そのチャンネル、通信モード、およびアドバタイズパケットに担持されたＳＳＩＤがプリントサーバ２０自身の通信環境の設定事項として設定される。
従って、プリントサーバ２０やプリンタ３０を新たに購入して無線ＬＡＮ１内に組み入れようとする場合には、付属のＣＤ−ＲＯＭ１９内のユーティリティプログラムをクライアント端末１０側にインストールし、これを実行させるだけでよく、こうすることで、プリントサーバ２０の通信環境を自動的に設定でき、知識の乏しい一般ユーザでも設定作業を容易にできる。
【００４１】
なお、本発明は、前記実施形態に限定されるものではなく、本発明の目的を達成できる他の構成等を含み、以下に示すような変形等も本発明に含まれる。
例えば、前記実施形態では、無線アクセスポイント４０を用いることにより、クライアント端末１０およびプリントサーバ２０がインフラストラクチャモードで通信される場合について説明したが、図５に示すように、無線アクセスポイント４０が用いられず、任意の１台のクライアント端末１０とプリントサーバ２０との間で通信する場合に本発明を適用してもよい。そして、このような場合には、プリントサーバ２０において、スードアドホックモードあるいは標準アドホックモードが設定されることになる。
【００４２】
また、前記実施形態では、通信環境の設定事項としてチャンネル、通信モード、ＳＳＩＤについて記載したが、この他にＷＥＰ（Wired Equivalent Privacy）キー等を加えてもよい。
逆に、本発明では、少なくとも通信モードやチャンネルなどを逐一変更することでアドバタイズパケットを受信し、受信した際の通信モードやチャンネルを自動的に設定できればよく、ＳＳＩＤを別の方法で設定した場合でも、本発明に含まれる。
さらに、通信モードおよびチャンネルのうち、いずれか一方のみを自動設定する場合でも本発明に含まれる。
【００４３】
前記実施形態では、本発明に係るサーバとして、プリントサーバ２０について記載したが、これに限定されるものではなく、プロジェクタサーバ、ＦＡＸサーバ、ルータ、各種のサーバ機能を有したパソコン等であってもよい。
【００４４】
その他、本発明を実施するための最良のネットワーク構成、通信環境の設定方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、方法、数量、その他の詳細な構成において、当業者が様々な変形を加えることができるものである。
従って、上記に開示した方法、数量、構成などを限定した記載は、本発明の理解を容易にするために例示的に記載したものであり、本発明を限定するものではないから、それらの方法、数量、構成などの限定の一部もしくは全部の限定を外した部材の名称での記載は、本発明に含まれるものである。
【産業上の利用可能性】
【００４５】
本発明は、家庭内に構築された無線ＬＡＮの他、オフィス内の無線ＬＡＮなど、無線による比較的小規模のコンピュータ・ネットワークに好適に用いることができる。
【図面の簡単な説明】
【００４６】
【図１】本発明の一実施形態に係る通信環境設定方法および通信環境設定プログラムが適用されるコンピュータ・ネットワークを示す模式図。
【図２】クライアント端末を示すブロック図。
【図３】サーバを示すブロック図。
【図４】通信環境設定を示すフローチャート。
【図５】本発明の変形例を示す模式図。
【符号の説明】
【００４７】
１…無線ＬＡＮ（コンピュータ・ネットワーク）、１０…クライアント端末、２０…プリントサーバ（サーバ）、５１…アドバタイズパケット生成手段、５２…ブロードキャスト送信手段、５３…返信パケット受信手段、５４…内容確認手段、６１…アドバタイズパケット受信手段、６２…通信環境可変手段、６３…通信環境判定手段、６４…通信環境設定手段、６５…返信パケット生成手段、６６…ブロードキャスト送信手段。
【図１】
2005136591.tif 000003
【図２】
2005136591.tif 000004
【図３】
2005136591.tif 000005
【図４】
2005136591.tif 000006
【図５】
2005136591.tif 000007